(57)【要約】【課題】画像を撮影した直後にその画像を見た撮影者の所感を適確に反映した画像の分類を行うことができるデジタルカメラおよび検索システムを提供する。【解決手段】画像の撮像後の所定の時間の間、撮像された最新の画像を静止画として撮影者に表示する表示手段と、撮像された画像に対して前記撮影者の指定するコードを付与するに際して当該撮影者によって指定されたコードに対応する信号を出力するコード指定手段と、前記コード指定手段から出力された前記信号に対応するコードを認識してその結果を出力するコード認識手段と、前記撮影者による前記コードの指定結果として前記コード認識手段で認識されたコードまたは当該コードに対応する情報と、前記表示手段で表示された最新の画像との対応付けを行う対応付け手段と、前記対応付け手段で対応付けを行ったコードまたは当該コードに対応する情報と前記最新の画像とを記憶する記憶手段と、を備える。【選択図】        図４
2006180090.tif 000002
【特許請求の範囲】
【請求項１】
所定の視野から集光した光を光電変換して画像を撮像する撮像手段と、
前記画像の撮像後の所定の時間の間、前記撮像手段で撮像された最新の画像を静止画として撮影者に表示する表示手段と、
前記撮像手段で撮像された画像に対して前記撮影者の指定するコードを付与するに際して当該撮影者によって指定された当該コードに対応する信号を出力するコード指定手段と、
前記コード指定手段から出力された前記信号に対応する前記コードを認識してその結果を出力するコード認識手段と、
前記表示手段が前記最新の画像の表示を開始した後の前記撮影者による前記コードの指定結果として前記コード認識手段で認識されたコードまたは当該コードに対応する情報と、前記表示手段で表示された最新の画像との対応付けを行う対応付け手段と、
前記対応付け手段で対応付けを行ったコードまたは当該コードに対応する情報と前記最新の画像とを記憶する記憶手段と、
を備えたことを特徴とするデジタルカメラ。
【請求項２】
前記コード認識手段は、
前記表示手段で画像を表示している時間の間に前記コード指定手段が出力した前記信号を用いてコードの認識を行うことを特徴とする請求項１に記載のデジタルカメラ。
【請求項３】
前記コード指定手段から前記コードに対応する信号の出力が前記所定の時間の間に無いとき、前記コード認識手段は前記撮影者によるコードの指定が行われなかったことに対応するコードとして、他の前記コードと異なるコードを認識結果として出力することを特徴とする請求項１に記載のデジタルカメラ。
【請求項４】
前記コード指定手段は、
前記コードを指定するために前記コードに対応する操作キーを備えることを特徴とする請求項１に記載のデジタルカメラ。
【請求項５】
前記操作キーは、指定可能なコードの選択肢として異なるコードに対応する複数の操作キーであることを特徴とする請求項４に記載のデジタルカメラ。
【請求項６】
前記操作キーは、予め登録されているコード群の中から選択されたコードと対応付けられたものであることを特徴とする請求項４に記載のデジタルカメラ。
【請求項７】
前記表示手段は、
少なくとも前記表示手段で画像を表示する時間の間に、当該画像に対して付与可能なコードに対応するシンボルを表示することを特徴とする請求項１に記載のデジタルカメラ。
【請求項８】
前記シンボルは、前記コードを指定するために前記コード指定手段に設けられた操作キーと対応付けられていることを特徴とする請求項７に記載のデジタルカメラ。
【請求項９】
前記コード指定手段は、
前記撮影者の方向への指向性を有するマイクロホンを備えることを特徴とする請求項１に記載のデジタルカメラ。
【請求項１０】
前記マイクロホンに入力されるべき所定の音声と前記コードまたは当該コードに対応する情報とは、予め対応付けられたものであることを特徴とする請求項９に記載のデジタルカメラ。
【請求項１１】
請求項１乃至１０のいずれか一項に記載のデジタルカメラの前記記憶手段に記憶される画像の検索に必要な情報が入力される入力手段と、
前記入力手段で入力された前記検索に必要な情報に基づいて前記画像の検索を行う検索手段と、
前記検索手段で行った検索の結果を出力する出力手段と、
を備えたことを特徴とする検索システム。
【発明の詳細な説明】
【技術分野】
【０００１】
本発明は、撮影した画像をデジタル信号に変換して記憶するデジタルカメラおよび当該デジタルカメラが記憶する情報の検索を行う検索システムに関する。
【背景技術】
【０００２】
従来、撮影した画像をデジタル信号に変換して記憶するデジタルカメラにおいて、撮影した画像を分類するための技術として、予め登録したシンボル画像を画像分類用のコードとし、このコードを撮影した画像ごとに付与する技術が開示されている（例えば、特許文献１を参照）。この技術では、撮影者がシンボル画像を適宜選択することによって各画像に対するコード付与を行う。コードを付与する作業は、撮影前に付与対象となる画像のコマ数を指定しておくか、あるいは撮影後にまとめて行う。
【０００３】
【特許文献１】特開平７−１１１６２８号公報
【発明の開示】
【発明が解決しようとする課題】
【０００４】
上述した従来技術において、例えば撮影が成功であるか失敗であるかに応じてコードを付与する場合、撮影の成否は撮影した後でなければ判断することはできないため、各画像に対するコード付与は撮影後にまとめて行うことになる。
【０００５】
ところが、撮影後しばらく時間が経過してからコード付与を行うと、どのような意図で各々の画像を撮影したのかを忘れてしまうことがある。例えば、画像がぼやけていたりして後から見ると失敗作に思えるものであっても、撮影直後には消去せずに残しておくだけの理由があった可能性もある。このように、従来のデジタルカメラを用いて画像に対するコード付与を行う場合には、撮影直後の撮影者の所感にしたがって画像を分類することができない場合があった。
【０００６】
本発明は、上記に鑑みてなされたものであり、画像を撮影した直後にその画像を見た撮影者の所感を適確に反映した画像の分類を行うことができるデジタルカメラおよび検索システムを提供することを目的とする。
【課題を解決するための手段】
【０００７】
上述した課題を解決し、目的を達成するために、請求項１記載の発明に係るデジタルカメラは、所定の視野から集光した光を光電変換して画像を撮像する撮像手段と、前記画像の撮像後の所定の時間の間、前記撮像手段で撮像された最新の画像を静止画として撮影者に表示する表示手段と、前記撮像手段で撮像された画像に対して前記撮影者の指定するコードを付与するに際して当該撮影者によって指定された当該コードに対応する信号を出力するコード指定手段と、前記コード指定手段から出力された前記信号に対応する前記コードを認識してその結果を出力するコード認識手段と、前記表示手段が前記最新の画像の表示を開始した後の前記撮影者による前記コードの指定結果として前記コード認識手段で認識されたコードまたは当該コードに対応する情報と、前記表示手段で表示された最新の画像との対応付けを行う対応付け手段と、前記対応付け手段で対応付けを行ったコードまたは当該コードに対応する情報と前記最新の画像とを記憶する記憶手段と、を備えたことを特徴とする。
【０００８】
請求項２記載の発明は、請求項１記載の発明において、前記コード認識手段は、前記表示手段で画像を表示している時間の間に前記コード指定手段が出力した前記信号を用いてコードの認識を行うことを特徴とする。
【０００９】
請求項３記載の発明は、請求項１記載の発明において、前記コード指定手段から前記コードに対応する信号の出力が前記所定の時間の間に無いとき、前記コード認識手段は前記撮影者によるコードの指定が行われなかったことに対応するコードとして、他の前記コードと異なるコードを認識結果として出力することを特徴とする。
【００１０】
請求項４記載の発明は、請求項１記載の発明において、前記コード指定手段は、前記コードを指定するために前記コードに対応する操作キーを備えることを特徴とする。
【００１１】
請求項５記載の発明は、請求項４記載の発明において、前記操作キーは、指定可能なコードの選択肢として異なるコードに対応する複数の操作キーであることを特徴とする。
【００１２】
請求項６記載の発明は、請求項４記載の発明において、前記操作キーは、予め登録されているコード群の中から選択されたコードと対応付けられたものであることを特徴とする。
【００１３】
請求項７記載の発明は、請求項１記載の発明において、前記表示手段は、少なくとも前記表示手段で画像を表示する時間の間に、当該画像に対して付与可能なコードに対応するシンボルを表示することを特徴とする。
【００１４】
請求項８記載の発明は、請求項７記載の発明において、前記シンボルは、前記コードを指定するために前記コード指定手段に設けられた操作キーと対応付けられていることを特徴とする。
【００１５】
請求項９記載の発明は、請求項１記載の発明において、前記コード指定手段は、前記撮影者の方向への指向性を有するマイクロホンを備えることを特徴とする。
【００１６】
請求項１０記載の発明は、請求項９記載の発明において、前記マイクロホンに入力されるべき所定の音声と前記コードまたは当該コードに対応する情報とは、予め対応付けられたものであることを特徴とする。
【００１７】
請求項１１記載の発明に係る検索システムは、請求項１乃至１０のいずれか一項に記載のデジタルカメラの前記記憶手段に記憶される画像の検索に必要な情報が入力される入力手段と、前記入力手段で入力された前記検索に必要な情報に基づいて前記画像の検索を行う検索手段と、前記検索手段で行った検索の結果を出力する出力手段と、を備えたことを特徴とする。
【発明の効果】
【００１８】
本発明によれば、所定の視野から集光した光を光電変換して画像を撮像する撮像手段と、前記画像の撮像後の所定の時間の間、前記撮像手段で撮像された最新の画像を静止画として撮影者に表示する表示手段と、前記撮像手段で撮像された画像に対して前記撮影者の指定するコードを付与するに際して当該撮影者によって指定された当該コードに対応する信号を出力するコード指定手段と、前記コード指定手段から出力された前記信号に対応する前記コードを認識してその結果を出力するコード認識手段と、前記表示手段が前記最新の画像の表示を開始した後の前記撮影者による前記コードの指定結果として前記コード認識手段で認識されたコードまたは当該コードに対応する情報と、前記表示手段で表示された最新の画像との対応付けを行う対応付け手段と、前記対応付け手段で対応付けを行ったコードまたは当該コードに対応する情報と前記最新の画像とを記憶する記憶手段と、を備えることにより、画像を撮影した直後にその画像を見た撮影者の所感を適確に反映した画像の分類を行うことが可能になる。
【発明を実施するための最良の形態】
【００１９】
以下、添付図面を参照して本発明の実施の形態を説明する。
【００２０】
（実施の形態１）
図１は、本発明の実施の形態１に係るデジタルカメラの構成を示すブロック図である。同図に示すデジタルカメラ１は、光学系によって集光した光を固体撮像素子に結像し、この結像した光学像を電気信号に変換して所定の画像処理を施した画像データを記録するものであり、少なくとも静止画を撮影する機能を有する。
【００２１】
このデジタルカメラ１は、撮像レンズを有し被写体からの光を集光する光学系１１、この光学系１１で集光した光を結像して撮像処理を施す撮像処理部１２、撮影者からの各種操作入力を受ける操作部１３、撮影前後の画像や各種設定画面を表示する表示部１４を備える。また、デジタルカメラ１は、画像に付与するコードを指定する信号の入力を受ける指定信号入力手段としてのコード指定部１５、このコード指定部１５から入力されたコードを認識するコード認識部１６、さまざまな情報を記憶、管理する記憶部１７、およびデジタルカメラ１全体の駆動制御を行う制御部１８を備える。
【００２２】
撮像処理部１２は、光学系１１で集光した光を結像して電気信号に変換するＣＣＤ（Charge Coupled Device）などの固体撮像素子と、この固体撮像素子で変換した電気信号を画像データにＡ／Ｄ変換するＡ／Ｄ変換部とを有する。したがって、この撮像処理部１２と光学系１１とが撮像手段をなす。撮像処理部１２でＡ／Ｄ変換された画像データは、制御部１８において各種画像処理（ホワイトバランス処理、ガンマ補正等）や圧縮、伸長処理が施される。
【００２３】
操作部１３は、シャッターボタンや各種操作ボタンを含むものであり、撮影の動作や撮影の設定等に関する操作指示信号の入力を受け、この入力された信号を制御部１８に送出する。
【００２４】
表示部１４は液晶ディスプレイ等によって実現され、撮影時の被写体をリアルタイムで表示する一方、撮影後の画像や撮影に関する各種設定画面などを表示する機能も有する。なお、この表示部１４を電子ビューファインダ（ＥＶＦ）によって実現してもよい。
【００２５】
記憶部１７は、フラッシュメモリ等を用いて実現され、デジタルカメラ１の動作制御を行う各種プログラムを記録するとともに、撮像処理部１２やコード認識部１６から出力される信号またはこの信号に係る情報を表示部１４で表示している画像と対応付けて記憶する機能を備える。このような記憶部１７をメモリカード等の記憶媒体を装着した補助記憶装置を用いて実現してもよい。
【００２６】
制御部１８は、ＣＰＵ（Central Processing Unit）等を用いて実現され、操作部１３からの信号に基づいて、記憶部１７から各種動作プログラムを読み出すことによってデジタルカメラ１の動作制御や演算などを行う。この制御部１８は、コード認識部１６で認識したコードまたはこのコードに係る情報と、この認識を行う際に表示部１４が表示した画像との対応付けを行う対応付け手段としての機能を有する。
【００２７】
図２および図３は、以上の構成を有するデジタルカメラ１の外観構成を示す斜視図である。より具体的には、図２がデジタルカメラ１の前面側の構成を、図３がデジタルカメラ１の背面側の構成をそれぞれ示している。これらの図に示すように、デジタルカメラ１は、略直方体形状をなす外装部材１０１の内部に、上述した機能を実現する電子的または光学的部材が収納され、それら各種部材の一部が外装部材１０１に表出して成る。
【００２８】
図２に示す外装部材１０１の前面側には、光学系１１の一部をなす撮像レンズ１１１やストロボ発光を行うフラッシュ１０２が少なくとも表出している。これに対して図３に示す外装部材１０１の背面側には、操作部１３の一部をなす操作ボタン群１３１と表示部１４とが表出しているのに加え、コード指定部１５の一部をなす二つの操作キー１５１および１５２が表出している。また、外装部材１０１の上側面には、操作部１３の一部をなすシャッターボタン１３２が表出している。
【００２９】
なお、外装部材１０１の表面には、上記以外にもメモリカードを装着するための装着用デバイスや、ＵＳＢ（Universal Serial Bus）または電源などを接続するための各種接続用端子などを表出させてもよい。この場合には、未使用のデバイスや端子を保護するため、それらのデバイスや端子の表面に蓋を装着してもよい。
【００３０】
図４は、以上の構成を有するデジタルカメラ１において、撮影者がシャッターボタン１３２を押して撮影動作を開始してから撮影した画像（静止画）と撮影者が入力したコードとを対応付けて記憶するまでの各種処理の起動状況を時系列に沿って示すタイムチャートである。
【００３１】
まず、撮影者が時刻ｔ0にシャッターボタン１３２を押して撮影動作を開始すると、このシャッターボタン１３２の押下動作から若干遅れて撮影処理が行われる。その後、時刻ｔ1に撮影が終了するのとほぼ同時に、制御部１８は撮影した画像データの記憶部１７への書き込みを開始する。
【００３２】
記憶部１７への書き込みが終了すると（時刻ｔ4）、制御部１８が記憶部１７から画像データを読み出して表示部１４で表示する。表示部１４には、この画像データを表示する期間を少なくとも含むような時間の間にコード選択肢が表示される。図４に示す場合、コード選択肢は時刻ｔ3に表示が始まるが、この時刻ｔ3は、シャッターボタン１３２の押下を解除した時刻ｔ2以降であって表示部１４で画像表示が開始される時刻ｔ4までの間（ｔ2≦ｔ3≦ｔ4）であればよい。なお、表示部１４が撮影した画像を表示する時間ｔ6−ｔ4は数秒〜１０秒程度である。
【００３３】
図５は、表示部１４におけるコード選択肢の表示例を示す説明図である。同図に示す場合には、コードを指定する信号を入力するための操作キー１５１および１５２の上方にコード選択肢１４１（シンボル「ＯＫ」）および１４２（シンボル「ＮＧ」）がそれぞれ表示される。この場合、表示部１４に表示された撮影画像を見たときの撮影者の所感に基づいて、操作キー１５１または１５２のいずれかを操作する。すなわち、撮影者が、表示部１４に表示された画像が意図通りに撮影された成功写真に分類されるべきものであると判断すれば、コード選択肢１４１（シンボル「ＯＫ」）に対応する操作キー１５１を押し、逆に表示部１４に表示された画像が失敗に分類されるものであると判断すれば、コード選択肢１４２（シンボル「ＮＧ」）に対応するキー１５２を押す。
【００３４】
ところで、上記説明においては、選択肢１４１（シンボル「ＯＫ」）および選択肢１４２（シンボル「ＮＧ」）をそれぞれ「撮影成功」と「撮影失敗」に対応するコードとして利用したが、それとは異なり、例えば、選択肢１４１（シンボル「ＯＫ」）および選択肢１４２（シンボル「ＮＧ」）をそれぞれ「友人配布用」と「個人保存用」に対応するコードとして利用することも可能である。
【００３５】
撮影者がコード指定部１５の操作キー１５１または１５２を押してコードを指定する信号を入力すると、この信号に基づいてコード認識部１６が付与すべきコードを認識する。なお、コード認識部１６は、表示部１４が画像データを表示する期間（時刻ｔ4〜ｔ6）に同期して起動し、自身が起動している間にコード指定部１５から入力されるコード指定信号のみをコード認識の対象とする。
【００３６】
その後、制御部１８は、認識済みのコードとそのコードを認識する際に表示部１４で表示していた画像データとの対応付けを行い、この対応付けた情報を記憶部１７に書き込んで記憶する。
【００３７】
図６は、入力によって認識されたコードを画像データと対応付けて書き込んだときのデータ構造の構成例を示す説明図である。同図に示す場合、撮影した画像一コマ分のデータＤはヘッダ領域Ｄｈと画像データ領域Ｄｆとから構成されている。このうちヘッダ領域Ｄｈには、撮影日時、シャッタースピード、絞りなどの撮影データに加えて、その画像データを表示部１４で表示している間に入力されたコードまたはこのコードに係る情報が記録される。
【００３８】
図７は、図６とは異なるデータ構造の構成例を示す説明図である。この図７に示す場合には、各画像データとその画像データに付加される付加データとが異なるファイルとして記録、管理される。このうち付加データを記録する付加データファイルＦａには、各画像のコマ番号（図６の「０００００００１」や「０００００００２」など）、撮影データ（撮影日時、シャッタースピード、絞り等）に続いて各コマ番号に対応するコードが順次記録される。他方、画像データファイルＦｆには、コマ番号とそのコマ番号に対応する画像データが順次記録される。
【００３９】
以上のようにしてデジタルカメラ１で撮影した画像と入力によって認識されたコードとを対応付けて記憶した後の検索処理は、検索に必要な情報としてのコードを入力することによって行う。図８は、このような検索処理を行う検索システムの構成を示すブロック図である。同図に示す検索システム３は、デジタルカメラ１と、このデジタルカメラ１の記憶部１６で記憶する画像の検索に必要な情報が入力される入力部３１と、この入力部３１で入力された検索に必要な情報に基づいて記憶部１６が記憶する画像の検索を行う検索部３２と、この検索部３２で行った検索結果を出力する出力部３３とを備える。
【００４０】
なお、この実施の形態１に係る検索システムはデジタルカメラ１単体で実現することもできる。この場合には、操作部１３が入力部の機能を、表示部１４が出力部の機能を、制御部１７が検索部の機能をそれぞれ担う。
【００４１】
これに対し、この実施の形態１に係る検索システムをデジタルカメラ１とコンピュータを接続することによって実現することも可能である。この場合には、デジタルカメラ１とコンピュータを直接接続することによって検索システムを構築してもよいし、インターネットなどの通信ネットワークを介してデジタルカメラ１とコンピュータを接続することによって検索システムを構築してもよい。
【００４２】
以上説明した本発明の実施の形態１によれば、デジタルカメラで撮影した画像に関する画像データ生成直後の所定の時間の間に、その画像データを静止画として表示するときに撮影者によって入力されるコード指定情報を用いて画像検索用の情報を生成し、この生成した情報を該当する画像データと対応付けて記憶することにより、画像を撮影した直後にその画像を見た撮影者の所感（第１印象）を適確に反映した画像の分類や並べ替えを行うことが可能になる。
【００４３】
図９は、この実施の形態１の一変形例として、コード指定部１５の一部をなす操作キーの別な設置例と、この操作キーの設置例に対応して表示部１４で表示するコード選択肢の表示例を示す説明図である。同図に示す場合には、操作キーが３つ設けられている。より具体的には、操作キー１５１上方の表示部１４に「ＯＫ」とシンボル表示されるコード選択肢１４１が、操作キー１５２上方の表示部１４に「ＮＧ」とシンボル表示されるコード選択肢１４２がそれぞれ設けられるのに加えて、それら二つの操作キーの中間に位置する操作キー１５３上方の表示部１４に「保留」とシンボル表示されるコード選択肢１４３が設けられる。この場合にも、上下の位置関係にある操作キーとコード選択肢は１対１に対応している。
【００４４】
図１０は、この実施の形態１の別な変形例として、コード指定部１５の一部をなす操作キーのさらに別な設置例と、この操作キーの設置例に対応して表示部１４で表示するコード選択肢の表示例を示す説明図である。同図に示す場合、左右方向の選択キー１５４および１５５と、それら選択キーの中間に位置して選択を決定する決定キー１５６とが操作キーとして設けられている。
【００４５】
表示部１４の左下部には「ＯＫ」とシンボル表示されるコード選択肢１４４が設けられる一方、表示部１４の右下部には「ＮＧ」とシンボル表示されるコード選択肢１４５が設けられる。これらのコード選択肢１４４および１４５は、選択キー１５４および１５５の操作によってアクティブなコード選択肢が白抜きで表示される。したがって、図１０に示す場合にはコード選択肢１４５がアクティブな状態になっている。この図１０に示す状態からコード選択肢１４４がアクティブな状態に遷移するには、選択キー１５４を１回押下すればよい。最終的なコード指定は決定キー１５６を押下すればよく、図１０に示す場合に決定キー１５６を押下すると、シンボル「ＮＧ」に対応するコードが選択、指定される。
【００４６】
なお、コード選択肢の表示は上述したものに限られるわけではなく、例えば利用者の好みに応じてコード選択肢のシンボルを変更可能な構成にしてもよい。図１１は、このような場合において、コード選択肢の種類を選択する際に表示部１４に表示される画面例を示す説明図である。同図に示す場合には、コード選択肢群１４０Ｇの中から撮影者が所望のシンボルを操作ボタン群１３１等を用いることによって選択する。
【００４７】
図１２は、コード選択肢を変更した後の表示部１４における表示例を示す説明図である。同図に示す場合、変更後のコード選択肢１４１'、１４２'、および１４３'は、それぞれ「１」、「２」、および「３」とシンボル表示されている。この場合には、表示されるシンボルの変更に伴って、図９と同じ操作キー１５１〜１５３を押下しても対応するコードまたは当該コードに係る情報が変化するようにしてもよい。したがって、コード選択肢１４１'、１４２'、および１４３'が表示されるときには、撮影の成否に関するものではなく、例えば撮影者とシンボルの番号を対応付けたコード付与を行ったりすることができる。
【００４８】
以上の説明では、外装部材１０１の表示部１４と同じ表面に操作キーを設ける場合を取り扱ったが、表示部１４におけるコード選択肢表示部分をタッチパネルとし、撮影者がその表示部分を押すことによってコード指定を行うことができるようにしてもよい。この場合には、表示部１４がコード指定部１５の機能を兼備することになる。
【００４９】
（実施の形態２）
図１３は、本発明の実施の形態２に係るデジタルカメラ内部の機能構成を示すブロック図である。同図に示すデジタルカメラ２は、上記実施の形態１に係るデジタルカメラ１と同様の機能を有する光学系２１、撮像処理部２２、操作部２３、表示部２４、記憶部２７、および制御部２８を備える。また、デジタルカメラ２は、外部から伝播してくる音声（音波）を電気信号に変換する音声信号変換部２５と、この音声信号変換部２５が出力する電気信号に基づいて該当するコードを認識するコード認識部２６とを備える。したがって、この実施の形態２では、音声信号変換部２５が図１におけるコード指定部としての機能を有しており、コードを指定する信号は撮影者が発する音声によって得られる。
【００５０】
音声信号変換部２５は、表示部２４で画像を表示する面と向き合う方向、すなわち撮影者が表示部２４を見る際に位置する側への指向性を有するマイクロホンを用いて実現される。これにより、表示部２４を見る撮影者が発する音声を適確に捉えることができる。
【００５１】
デジタルカメラ２の外観構成は図２および図３に示すものと同様であるが、表示部２４を見る撮影者が発する音声の集音効率を向上させるため、図３に示す外装部材１０１の背面側に設けられる表示部２４の表面近傍に集音用の孔部を穿設しておけばより好ましい。
【００５２】
この実施の形態２では、撮影直後の画像に対するコード指定を撮影者が自らの音声を意図的に発することによって行う。このため、撮影者がシャッターボタンを押して撮影動作を開始してから、撮影した静止画像とコードとを対応付けて記憶するまでの各種処理の起動状況は、表示部２４においてコード選択肢の表示が不要となる点を除けば、上記実施の形態１と同様である（図４を参照）。
【００５３】
ところで、撮影者が発する音声は所定のものであり、その音声によって指定するコードとの対応は予め記憶部１７に記憶されている。例えば、撮影の成否に応じたコードを付与することによって撮影した画像の分類を行う場合には、表示された画像が撮影前にイメージした通りの画像であった場合に「ＯＫ」などの言葉を発する一方、撮影前のイメージ通りに取れなかった場合には「ＮＧ」などの言葉を発するように予め定めておく。これらの音声を変換して得られる音声データをコードとして各画像データと対応付けることにより、撮影の成否に応じて画像を分類し、記憶することが可能になる。なお、この対応付けを行う際には、撮影者が何も言わなかった場合（無言の状態）を一つのコードとして含んでもよい。
【００５４】
以上のようにしてデジタルカメラ２で撮影した画像と撮影者の音声データとを対応付けて記憶した後の検索処理は、デジタルカメラ２と、検索に必要な情報の入力を受ける入力手段と、この入力手段によって入力を受けた検索に必要な情報に基づいて記憶部２７が記憶する情報の検索を行う検索手段と、この検索手段で行った検索結果を出力する出力手段とを備える検索システムによって実現される。
【００５５】
この検索システムは、上記実施の形態１と同じく、デジタルカメラ２単体で実現することもできるし、デジタルカメラとコンピュータを適当に接続することによって実現することもできる。
【００５６】
以上説明した本発明の実施の形態２によれば、デジタルカメラで撮影した画像に関する画像データ生成直後の所定の時間の間に静止画として表示するときに撮影者によって入力される音声に基づくコード指定情報を用いて画像検索用の情報を生成し、この生成した情報を対応する画像データに付加して記憶することにより、画像を撮影した直後にその画像を見た撮影者の所感（第１印象）を適確に反映した画像の分類や並べ替えを行うことが可能になる。
【００５７】
また、この実施の形態２によれば、コードの指定を撮影者が自身の音声を入力することによって実行できるため、デジタルカメラの操作に不慣れな撮影者でも容易にコードの指定を行うことができる。
【００５８】
なお、以上の説明では、撮影者が入力するコードとして主に撮影の成否に関するものを取り上げてきたが、それ以外にも、撮影者が発する撮影対象（人物、イベント、風景、・・・）、撮影者（名前、父、母、・・・）、撮影場所（地名、屋内外、・・・）、撮影環境（天気、気温、湿度、・・・）、撮影目的（スナップ、コンペ出品用、・・・）等の情報を入力すべき所定の音声としてもよい。
【００５９】
ここまで、本発明を実施するために最良と思われる形態を実施の形態１および２として詳述してきたが、本発明はそれらの実施の形態によってのみ限定されるものではない。例えば、撮影の成否に関するコード付与を行う場合、表示画像を見た撮影者が不成功と判断してコード指定を行った（上記の場合、「ＮＧ」というシンボルや音声を入力することに対応）後、そのコード指定に基づいて該当する画像データを消去するようにしてもよい。この場合には、画像データに対応付けられる撮影データ等の付加データを一括して消去してもよい。
【００６０】
ところで、撮影者がある時間の間に連続して撮影を行う場合には、画像を記憶部に書き込んだ直後にその画像を表示部で表示することができない。このような場合には、撮影者が所定時間経過してもシャッターボタンを押さなくなった時点で一連の撮影が終了したとみなし、それまでに記憶している分の画像を順次表示していく。
【００６１】
このように、本発明は、ここでは記載していないさまざまな実施の形態等を含みうるものであり、特許請求の範囲により特定される技術的思想を逸脱しない範囲内において種々の設計変更等を施すことが可能である。
【図面の簡単な説明】
【００６２】
【図１】本発明の実施の形態１に係るデジタルカメラ内部の機能構成を示すブロック図である。
【図２】本発明の実施の形態１に係るデジタルカメラ前面側の構成を示す斜視図である。
【図３】本発明の実施の形態１に係るデジタルカメラ背面側の構成を示す斜視図である。
【図４】本発明の実施の形態１に係るデジタルカメラを用いて撮影を開始してから撮影した画像と撮影者の音声とを対応付けて記憶するまでの各種処理の起動状況を示すタイムチャートである。
【図５】コード選択肢および操作キーの構成例を示す説明図である。
【図６】音声データと画像データとを対応付けたデータ構造の構成例を示す説明図である。
【図７】音声データと画像データとを対応付けたデータ構造の別な構成例を示す説明図である。
【図８】本発明の実施の形態１に係る検索システムの機能構成を示すブロック図である。
【図９】コード選択肢および操作キーの別な構成例を示す説明図である。
【図１０】コード選択肢および操作キーの第３の構成例を示す説明図である。
【図１１】コード選択肢のシンボル設定用画面の表示例を示す説明図である。
【図１２】図１１の画面を用いてシンボルを変更した後の表示例を示す説明図である。
【図１３】本発明の実施の形態２に係るデジタルカメラ内部の機能構成を示すブロック図である。
【符号の説明】
【００６３】
１、２  デジタルカメラ
３  検索システム
１１、２１  光学系
１２、２２  撮像処理部
１３、２３  操作部
１４、２４  表示部
１５  コード指定部
１６、２６  コード認識部
１７、２７  記憶部
１８、２８  制御部（対応付け部）
２５  音声信号変換部（コード指定部）
３１  入力部
３２  検索部
３３  出力部
１０１  外装部材
１０２  フラッシュ
１３１  操作ボタン群
１３２  シャッターボタン
１４０Ｇ  コード選択肢群
１４１、１４１'、１４２、１４２'、１４３、１４３'、１４４、１４５  コード選択肢
１５１、１５２、１５３  操作キー
１５４、１５５  選択キー
１５６  決定キー
Ｄ  データ
Ｄｈ  ヘッダ領域
Ｄｆ  画像データ領域
Ｆａ  付加データファイル
Ｆｆ  画像データファイル
【図１】
2006180090.tif 000003
【図２】
2006180090.tif 000004
【図３】
2006180090.tif 000005
【図４】
2006180090.tif 000006
【図５】
2006180090.tif 000007
【図６】
2006180090.tif 000008
【図７】
2006180090.tif 000009
【図８】
2006180090.tif 000010
【図９】
2006180090.tif 000011
【図１０】
2006180090.tif 000012
【図１１】
2006180090.tif 000013
【図１２】
2006180090.tif 000014
【図１３】
2006180090.tif 000015